(57)【要約】【課題】位置検出機能が用いられる可能性を考慮して、リモコン装置の消費電力を効果的に抑えることができる電子機器を提供する。【解決手段】電子機器は、放送受信機１と、放送受信機１を遠隔操作するためのリモコン装置２とを備える。放送受信機１は、リモコン信号受信部１９と、位置検出信号を送信する位置検出信号送信部１８とを備える。また、リモコン装置２は、放送受信機１の操作を行うためのリモコン側操作部２１と、リモコン信号送信部２３と、所定の電力が供給されることによって位置検出信号を受信する位置検出信号受信部２４と、リモコン装置２の位置を報知する報知部２５と、位置検出信号受信部２４へ所定の電力を供給する電力供給部２６と、電力供給部２６に所定の電力を供給させるリモコン側制御部２２とを備える。リモコン側制御部２２は、リモコン側操作部２１が操作された場合は、電力供給部２６による所定の電力の供給を停止させる。【選択図】図１
2008306387.tif 000002
【特許請求の範囲】
【請求項１】
電子機器本体と、前記電子機器本体を遠隔操作するためのリモコン信号を送信するリモコン装置とを備える電子機器において、
前記電子機器本体は、前記リモコン信号を受信するリモコン信号受信部と、前記リモコン装置の位置を検出するための位置検出信号を送信する位置検出信号送信部とを備え、
前記リモコン装置は、前記電子機器本体の操作を行うための操作部と、前記操作部の操作内容に対応した前記リモコン信号を送信するリモコン信号送信部と、所定の電力が供給されることによって受信可能状態となり前記位置検出信号を受信する位置検出信号受信部と、前記位置検出信号受信部が前記位置検出信号を受信した場合に前記リモコン装置の位置を報知する報知部と、前記位置検出信号受信部へ前記所定の電力を供給する電力供給部と、前記位置検出信号受信部が前記受信可能状態となるために前記電力供給部に前記所定の電力を供給させる制御部とを備え、
前記制御部は、前記操作部が操作された場合は、前記電力供給部による前記所定の電力の供給を停止させることを特徴とする電子機器。
【請求項２】
前記制御部は、前記電力供給部による前記所定の電力の供給を周期的に停止させ、さらに、前記操作部が操作された場合は、前記操作部が操作される前において前記所定の電力の供給を停止させた第１の電力停止時間よりも長い第２の電力停止時間、前記電力供給部による前記所定の電力の供給を停止させることを特徴とする請求項１に記載の電子機器。
【請求項３】
前記第１の電力停止時間および前記第２の電力停止時間を設定するための時間設定操作部を備えることを特徴とする請求項２に記載の電子機器。
【請求項４】
前記第２の電力停止時間において、前記リモコン装置の位置を検出する機能が停止中である旨の映像を表示する映像表示部を備えることを特徴とする請求項２または請求項３に記載の電子機器。
【請求項５】
前記映像表示部は、さらに、前記第１の電力停止時間および前記第２の電力停止時間の設定に係る映像を表示することを特徴とする請求項４に記載の電子機器。
【発明の詳細な説明】
【技術分野】
【０００１】
本発明は、電子機器本体と、電子機器本体を遠隔操作するためのリモコン信号を送信するリモコン装置とを備える電子機器に関する。
【背景技術】
【０００２】
一般に、電子機器は、電子機器本体（例えば、テレビやＤＶＤプレーヤー等のオーディオ・ビジュアル機器）と、電子機器本体を遠隔操作するためのリモコン信号を送信するリモコン装置とを備えるものが広く用いられている。このような電子機器本体を遠隔操作するリモコン装置において、リモコン装置を紛失した場合に、そのリモコン装置の位置を検出するための位置検出機能（いわゆる、ロケータ機能）を有するリモコン装置が知られている（例えば、特許文献１参照）。
【０００３】
位置検出機能を有するリモコン装置は、例えば、電子機器本体側から送信されたリモコン装置の位置を検出するための位置検出信号を受信する位置検出信号受信部と、位置検出信号受信部によって位置検出信号を受信した場合に、音や光を発生させてリモコン装置の位置を報知する報知部を備えている。このような構成によれば、電子機器本体側から位置検出信号を送信することにより、リモコン装置の位置を検出することができる。
【０００４】
ここで、従来、ロケータ機能を有するリモコン装置は、位置検出信号を受信するための位置検出信号受信部に電力を供給する必要があるため、ロケータ機能を有さないリモコン装置と比べ、消費電力が大きいという問題があった。
【０００５】
そこで、消費電力を抑えるために、信号受信部である位置検出信号受信部への電力の供給を周期的に停止させて電力を間欠的に供給するようにすることが提案されている。信号受信部へ電力を間欠的に供給する（即ち、信号の受信を間欠に行う）ことにより消費電力を抑える（削減）するものとしては、例えば、特許文献２に記載されるようなものが開示されている。
【特許文献１】特開平９−３１２８９０号公報
【特許文献２】特開平７−２６４６７４号公報
【発明の開示】
【発明が解決しようとする課題】
【０００６】
しかし、上記従来技術においては、信号が受信されていない状態において単に電力を間欠的に供給するだけであった。従って、位置検出信号受信部によって位置検出信号が受信される可能性（即ち、位置検出機能が用いられる可能性）を考慮せずに電力を供給するため、消費電力を抑えることが不十分であるという問題があった。
【０００７】
本発明は、こうした実情に鑑みてなされたものであり、その目的は、位置検出機能が用いられる可能性を考慮して、リモコン装置の消費電力を効果的に抑えることができる電子機器を提供することにある。
【課題を解決するための手段】
【０００８】
請求項１に記載の発明は、電子機器本体と、電子機器本体を遠隔操作するためのリモコン信号を送信するリモコン装置とを備える電子機器において、電子機器本体は、リモコン信号を受信するリモコン信号受信部と、リモコン装置の位置を検出するための位置検出信号を送信する位置検出信号送信部とを備え、リモコン装置は、電子機器本体の操作を行うための操作部と、操作部の操作内容に対応したリモコン信号を送信するリモコン信号送信部と、所定の電力が供給されることによって受信可能状態となり位置検出信号を受信する位置検出信号受信部と、位置検出信号受信部が位置検出信号を受信した場合にリモコン装置の位置を報知する報知部と、位置検出信号受信部へ所定の電力を供給する電力供給部と、位置検出信号受信部が受信可能状態となるために電力供給部に所定の電力を供給させる制御部とを備え、制御部は、操作部が操作された場合は、電力供給部による所定の電力の供給を停止させることを特徴とする。
【０００９】
同構成によれば、制御部は、操作部が操作された場合は、電力供給部による所定の電力の供給を停止させる。即ち、操作部が操作された場合は、リモコン装置は利用者の手元にあると考えられるため、リモコン装置の位置が判らなくなり位置検出機能が用いられる可能性が低いと判断して、制御部は、電力供給部による位置検出信号受信部への所定の電力の供給を停止する。従って、位置検出機能が用いられる可能性を考慮して、リモコン装置の消費電力を効果的に抑えることができる。
【００１０】
請求項２に記載の発明は、請求項１に記載の電子機器であって、制御部は、電力供給部による所定の電力の供給を周期的に停止させ、さらに、操作部が操作された場合は、操作部が操作される前において所定の電力の供給を停止させた第１の電力停止時間よりも長い第２の電力停止時間、電力供給部による所定の電力の供給を停止させることを特徴とする。
【００１１】
同構成によれば、制御部は、電力供給部による所定の電力の供給を周期的に停止させる。そして、制御部は、操作部が操作された場合は、操作部が操作される前において所定の電力の供給を停止させた第１の電力停止時間よりも長い第２の電力停止時間、電力供給部による所定の電力の供給を停止させる。従って、電力の供給を周期的に停止させ、さらに、操作部が操作される前よりも長い時間、電力の供給を停止させるため、リモコン装置の消費電力をさらに効果的に抑えることができる。
【００１２】
請求項３に記載の発明は、請求項２に記載の電子機器であって、第１の電力停止時間および第２の電力停止時間を設定するための時間設定操作部を備えることを特徴とする。
同構成によれば、第１の電力停止時間および第２の電力停止時間を設定するための時間設定操作部を備えるため、リモコン装置の動作および位置検出機能の動作を利用者が所望する動作とすることができる。即ち、利用者がリモコン装置の消費電力を抑えたいのであれば、第１の電力停止時間および第２の電力停止時間を長くするように設定することで消費電力を抑えることができ、利用者が位置検出機能を速やかに利用したいのであれば、第１の電力停止時間および第２の電力停止時間を短くするように設定することで位置検出機能を速やかに利用することができる。
【００１３】
請求項４に記載の発明は、請求項２または請求項３に記載の電子機器であって、第２の電力停止時間において、リモコン装置の位置を検出する機能が停止中である旨の映像を表示する映像表示部を備えることを特徴とする。
【００１４】
同構成によれば、第２の電力停止時間において、リモコン装置の位置を検出する機能が停止中である旨の映像を表示する映像表示部を備えている。このため、第２の電力停止時間においてリモコン装置の位置を検出しようとする利用者に、位置検出機能が停止中である旨を告知することができる。
【００１５】
請求項５に記載の発明は、請求項４に記載の電子機器であって、映像表示部は、さらに、第１の電力停止時間および第２の電力停止時間の設定に係る映像を表示することを特徴とする。
【００１６】
同構成によれば、映像表示部は、さらに、第１の電力停止時間および第２の電力停止時間の設定に係る映像を表示する。このため、第１の電力停止時間および第２の電力停止時間を設定する際に、利用者が映像表示部を参照して第１の電力停止時間および第２の電力停止時間を設定することができるため、容易に第１の電力停止時間および第２の電力停止時間を設定することができる。
【発明の効果】
【００１７】
本発明によれば、位置検出機能が用いられる可能性を考慮して、リモコン装置の消費電力を効果的に抑えることができる。
【発明を実施するための最良の形態】
【００１８】
以下、本発明の具体的な実施形態について図面を参照しながら説明する。図１は、本発明の実施形態に係る電子機器の構成を示すブロック図である。また、図２は、本発明の実施形態に係るリモコン装置と電子機器本体の一部の構成を示すブロック図である。なお、本実施形態では、電子機器本体として、デジタルテレビ放送用の放送受信機を例に挙げて説明する。
【００１９】
図１に示すように、電子機器は、放送受信機１と、放送受信機１を遠隔操作するためのリモコン信号を送信するリモコン装置２と、放送受信機１によって出力される音声信号を音声として再生するスピーカ３と、放送受信機１によって出力される映像信号を映像として表示する映像表示部としてのディスプレイ４を備えている。
【００２０】
（電子機器本体側の構成）
放送受信機１は、図１に示すように、所望の放送信号を取得する選局部１１と、放送信号を復号する伝送路復号部１２と、放送信号から映像データや音声データを分離する多重分離部１３と、映像データや音声データを復号して映像信号や音声信号を生成するデータ復号部１４と、映像信号に対して信号処理を施す映像信号処理部１５を備えている。さらに、放送受信機１は、放送受信機１の操作を行うための本体側操作部１６と、操作に基づいて各部を制御する本体側制御部１７と、本体側制御部１７によって生成された位置検出信号を送信する位置検出信号送信部１８と、後述するリモコン信号を受信するリモコン信号受信部１９を備えている。
【００２１】
選局部１１は、外部のアンテナ５によって受信したアナログの信号である放送信号から、後述する制御信号に基づいて、所望のチャンネルに対応する放送信号のみを抽出し、復調し易い低周波の信号に変換するとともにデジタル信号に変換して、デジタル信号となった放送信号を伝送路復号部１２へ出力する。
【００２２】
伝送路復号部１２は、入力された放送信号に対して、送信者側（即ち、テレビ放送における放送事業者側）での信号処理手順と逆の手順で、各種の信号処理（例えば、復調、ビタビ復号化、デインタリーブ、リードソロモン復号化）を施し、放送信号をＭＰＥＧ−２ＴＳ（Transport Stream）形式の信号へ変換する。そして、伝送路復号部１２は、ＭＰＥＧ−２ＴＳ形式の信号を多重分離部１３へ出力する。
【００２３】
多重分離部１３は、ＭＰＥＧ−２Ｓｙｓｔｅｍｓの規格に基づいて多重化されているＴＳ形式の信号から、各種データ（即ち、映像データ、音声データ）や番組特定情報（ＰＳＩ：Program Specific Information）や番組配列情報（ＳＩ：Service Information）を分離して取り出す。取り出された映像データや音声データは、多重分離部１３によって、データ復号部１４へ出力される。
【００２４】
データ復号部１４は、ＭＰＥＧ−２ＡＡＣ（Advanced Audio Coding）に基づいて符号化されている音声データを復号化して、音声信号を生成するとともに、ＭＰＥＧ−２Ｖｉｄｅｏに基づいて符号化されている映像データを、逆量子化や逆離散コサイン変換や動き補償等を行うことにより復号化して、映像信号を生成する。そして、データ復号部１４は、音声信号をスピーカ３へ出力するとともに、映像信号を映像信号処理部１５へ出力する。
【００２５】
映像信号処理部１５は、映像信号によって示される映像にスーパーインポーズ等を重畳するように、後述する制御信号に基づいて、入力された映像信号に対して適宜信号処理を行う。そして、映像信号処理部１５は、スーパーインポーズ等が適宜重畳された映像を示す映像信号をディスプレイ４へ出力する。従って、ディスプレイ４には、放送された映像だけでなく、制御信号によって、その他の文字や図形等を表示することができるため、放送受信機１は、放送受信機１やリモコン装置２の動作に係る情報等を表示させることができる機能、いわゆるＯＳＤ（On Screen Display）機能を有している。
【００２６】
本体側操作部１６は、放送受信機１の操作を行うための各種ボタン等からなる。各種ボタンは、例えば、所望のチャンネルを選択するために、選局部１１によって抽出される放送信号を変更するためのボタンや、リモコン装置２の位置を検出するための後述する位置検出信号を送信するためのボタンである。このようなボタンのいずれかが押されることによって、その操作内容に対応した処理がなされる。
【００２７】
本体側制御部１７は、本体側操作部１６における操作内容を検知し、本体側操作部１６の操作内容に対応した各種制御信号を生成して選局部１１や映像信号処理部１５へ出力する。例えば、本体側制御部１７が選局部１１によって抽出される放送信号を変更するためのボタンが押されたことを検知した場合は、抽出する放送信号を変更するための制御信号を生成して選局部１１へ出力する。また、本体側制御部１７がリモコン装置２の位置を検出するためのボタンが押されたことを検知した場合は、位置検出信号を送信するために、位置検出信号を生成して位置検出信号送信部１８へ出力する。
【００２８】
位置検出信号送信部１８は、図２に示すように、本体側制御部１７によって生成された位置検出信号を変調する変調部１８ａと、変調した位置検出信号を電波としてリモコン装置２側へ送信するアンテナ１８ｂから構成されている。従って、本体側制御部１７によって出力された位置検出信号は、位置検出信号送信部１８によって変調されて送信される。
【００２９】
リモコン信号受信部１９は、図２に示すように、後述するリモコン信号を受信する赤外線受光素子１９ａと、受信したリモコン信号を復調する復調部１９ｂから構成されている。従って、リモコン信号は、リモコン信号受信部１９によって受信されるとともに復調される。
【００３０】
（リモコン装置側の構成）
リモコン装置２は、図１に示すように、放送受信機１の操作を行うための操作部としてのリモコン側操作部２１と、操作に基づいて各部を制御する制御部としてのリモコン側制御部２２と、リモコン側制御部によって生成されたリモコン信号を送信するリモコン信号送信部２３と、上述した位置検出信号を受信する位置検出信号受信部２４を備えている。さらに、リモコン装置２は、図１に示すように、リモコン装置２の位置を報知する報知部２５と、リモコン装置２の各部へ電力を供給する電力供給部２６を備えている。
【００３１】
リモコン側操作部２１は、本体側操作部１６と同様に、放送受信機１の操作を行うための各種ボタン等からなる。各種ボタンは、図３に示すように、例えば、利用者に対して放送受信機１やリモコン装置２の設定項目等をディスプレイ４に提示するためのＭＥＮＵボタン２１ａや、ディスプレイ４に提示された選択項目を選択するための十字ボタン２１ｂや、十字ボタン２１ｂによって選択した選択項目を決定するための決定ボタン２１ｃである。このようなボタンのいずれかが押されることによって、その操作内容に対応した処理がなされる。
【００３２】
リモコン側制御部２２は、リモコン側操作部２１における操作内容を検知し、リモコン側操作部２１の操作内容に対応したリモコン信号を生成してリモコン信号送信部２３や報知部２５へ出力する。また、リモコン側制御部２２は、電力供給部２６に電力をリモコン装置２の各部へ供給させる。特に、リモコン側制御部２２は、位置検出信号受信部２４が位置検出信号を受信することができる受信可能状態となるために、電力供給部２６に所定の電力を位置検出信号受信部２４へ供給させる。
【００３３】
リモコン信号送信部２３は、図２に示すように、リモコン側制御部２２によって生成されたリモコン信号を変調する変調部２３ａと、変調したリモコン信号を電波として放送受信機１側へ送信する赤外線発光素子２３ｂから構成されている。従って、リモコン信号は、リモコン信号送信部２３によって変調されるとともに送信される。
【００３４】
位置検出信号受信部２４は、図２に示すように、電波として送信された位置検出信号を受信するアンテナ２４ａと、受信した位置検出信号を復調する復調部２４ｂから構成されている。従って、位置検出信号は、位置検出信号受信部２４によって受信されるとともに復調される。この位置検出信号受信部２４は、所定の電力が供給されることによって位置検出信号を受信することができる受信可能状態となる。
【００３５】
報知部２５は、リモコン装置２の位置を検出するための位置検出信号を、位置検出信号受信部２４が受信した場合に、音や光等を発生させることにより、リモコン装置２の位置を報知する。
【００３６】
電力供給部２６は、電池に接続された電源回路からなり、電力の供給によって動作する回路に、電池から電力を供給する。即ち、電力供給部２６は、リモコン側制御部２２、リモコン信号送信部２３、位置検出信号受信部２４、報知部２５へ所定の電力を供給する。
【００３７】
ここで、本実施形態においては、リモコン側制御部２２は、リモコン側操作部２１が操作された場合は、電力供給部２６による位置検出信号受信部２４への所定の電力の供給を停止させることに特徴がある。例えば、図４に示すように、リモコン側操作部２１が操作された場合（即ち、リモコン側操作部２１が操作された後）は、電力供給部２６による位置検出信号受信部２４への所定の電力の供給が停止される。即ち、リモコン側操作部２１が操作された場合は、リモコン装置２は利用者の手元にあると考えられるため、リモコン装置２の位置が判らなくなり位置検出機能が用いられる可能性が低いと判断して、リモコン側制御部２２は、電力供給部２６による位置検出信号受信部２４への所定の電力の供給を停止する。
【００３８】
また、本実施形態においては、リモコン側制御部２２は、電力供給部２６による位置検出信号受信部２４への所定の電力の供給を周期的に停止させる。さらにリモコン側制御部２２は、リモコン側操作部２１が操作された場合は、リモコン側操作部２１が操作される前において所定の電力の供給を停止させた第１の電力停止時間よりも長い第２の電力停止時間、電力供給部２６による所定の電力の供給を停止させる。即ち、リモコン側操作部２１が操作される前において位置検出信号受信部２４への所定の電力の供給を停止させた第１の電力停止時間は、図４に示すＴ１である。リモコン側制御部２２は、リモコン側操作部２１が操作された場合（即ち、リモコン側操作部２１が操作された後）は、第１の電力停止時間Ｔ１よりも長い、図４に示す第２の電力停止時間Ｔ２、位置検出信号受信部２４への所定の電力の供給を停止させる。なお、本実施形態においては、予め設定された制御時間を経過すると、第１の電力停止時間Ｔ１、所定の電力の供給を停止させるようになる。
【００３９】
また、本実施形態においては、第１の電力停止時間Ｔ１および第２の電力停止時間Ｔ２を設定するための時間設定操作部であるリモコン側操作部２１を備えている。このため、リモコン装置２の動作および位置検出機能の動作を利用者が所望する動作とすることができる。この場合、ディスプレイ４は、第１の電力停止時間Ｔ１および第２の電力停止時間の設定に係る映像を表示する。例えば、利用者がリモコン側操作部２１のＭＥＮＵボタン２１ａを押して、図５（ａ）のような映像をディスプレイ４に表示し、リモコン側操作部２１の十字ボタン２１ｂや決定ボタン２１ｃを用いて「電力停止時間設定」の選択項目を選択して決定する。そして、図５（ｂ）のような、第１の電力停止時間Ｔ１および第２の電力停止時間Ｔ２の設定に係る映像をディスプレイ４が表示する。このようにすることで、第１の電力停止時間Ｔ１および第２の電力停止時間Ｔ２を設定する際に、利用者がディスプレイ４を参照する。
【００４０】
また、本実施形態においては、第２の電力停止時間Ｔ２において、リモコン装置２の位置を検出する機能が停止中である旨の映像を表示するディスプレイ４を備える。電力供給部２６による位置検出信号受信部２４への電力の供給が停止されている所定時間において、利用者が、本体側操作部１６に設けられた、リモコン装置２の位置を検出するためのボタンを押してしまった場合、リモコン装置２の位置を検出する機能が停止中である旨の映像をディスプレイ４に表示する。例えば、図６に示すような映像を表示する。
【００４１】
上記実施形態の電子機器によれば、以下のような効果を得ることができる。
（１）リモコン側制御部２２は、リモコン側操作部２１が操作された場合は、電力供給部２６による位置検出信号受信部２４への所定の電力の供給を停止させる。即ち、リモコン装置２は利用者の手元にあると考えられるため、位置検出機能が用いられる可能性を考慮して、リモコン装置２の消費電力を効果的に抑えることができる。
【００４２】
（２）リモコン側制御部２２は、電力供給部２６による所定の電力の供給を周期的に停止させ、さらに、リモコン側操作部２１が操作された場合は、リモコン側操作部２１が操作される前において所定の電力の供給を停止させた第１の電力停止時間Ｔ１よりも長い第２の電力停止時間Ｔ２、電力供給部２６による所定の電力の供給を停止させる。従って、リモコン装置２の消費電力をさらに効果的に抑えることができる。
【００４３】
（３）第１の電力停止時間Ｔ１および第２の電力停止時間Ｔ２を設定するためのリモコン側操作部２１を備える。このため、利用者がリモコン装置の消費電力を抑えたいのであれば、第１の電力停止時間Ｔ１および第２の電力停止時間Ｔ２を長くするように設定することで消費電力を抑えることができる。また、利用者が位置検出機能を速やかに利用したいのであれば、第１の電力停止時間Ｔ１および第２の電力停止時間Ｔ２を短くするように設定することで位置検出機能を速やかに利用することができる。
【００４４】
（４）第２の電力停止時間Ｔ２において、リモコン装置２の位置を検出する機能が停止中である旨の映像を表示するディスプレイ４を備える。このため、第２の電力停止時間Ｔ２においてリモコン装置２の位置を検出しようとする利用者に、位置検出機能が停止中である旨を告知することができる。
【００４５】
（５）ディスプレイ４は、さらに、第１の電力停止時間Ｔ１および第２の電力停止時間Ｔ２の設定に係る映像を表示する。このため、利用者がディスプレイ４を参照して第１の電力停止時間Ｔ１および第２の電力停止時間Ｔ２を設定することができ、容易に第１の電力停止時間Ｔ１および第２の電力停止時間Ｔ２を設定することができる。
【００４６】
なお、本発明は、上記実施形態に限定されるものではなく、本発明の趣旨に基づいて種々の設計変更をすることが可能であり、それらを本発明の範囲から除外するものではない。例えば、上記実施形態は以下のように変更してもよい。
【００４７】
・上述の実施形態においては、リモコン側制御部２２は、電力の供給を周期的に停止させ、リモコン側操作部２１が操作された場合は、第２の電力停止時間、電力供給部２６による位置検出信号受信部２４への所定の電力の供給を停止していたが、電力の供給を周期的に停止させなくてもよい。即ち、図７に示すように、リモコン側制御部２２は、リモコン側操作部２１が操作された場合は、制御時間が経過するまで、電力の供給を停止させるようにしてもよい。このようにしても上記（１）の効果を得ることができる。
【図面の簡単な説明】
【００４８】
【図１】本発明の実施形態に係る電子機器の構成を示すブロック図。
【図２】本発明の実施形態に係るリモコン装置と、放送受信機の一部を示すブロック図。
【図３】本発明の実施形態に係るリモコン装置を示す平面図。
【図４】本発明の実施形態に係るリモコン側制御部の動作を示すタイミングチャート。
【図５】（ａ）（ｂ）ディスプレイに表示される映像を示す平面図。
【図６】ディスプレイに表示される映像を示す平面図。
【図７】本発明の実施形態に係るリモコン側制御部の動作の変形例を示すタイミングチャート。
【符号の説明】
【００４９】
Ｔ１…第１の電力停止時間、Ｔ２…第２の電力停止時間、１…放送受信機（電子機器本体）、２…リモコン装置、４…ディスプレイ（映像表示部）、１８…位置検出信号送信部、１９…リモコン信号受信部、２１…リモコン側操作部（操作部、時間設定操作部）、２２…リモコン側制御部（制御部）、２３…リモコン信号送信部、２４…位置検出信号受信部、２５…報知部、２６…電力供給部。
【図１】
2008306387.tif 000003
【図２】
2008306387.tif 000004
【図３】
2008306387.tif 000005
【図４】
2008306387.tif 000006
【図５】
2008306387.tif 000007
【図６】
2008306387.tif 000008
【図７】
2008306387.tif 000009